(57)【要約】【課題】  排泄後にすばやくおむつ交換が行われない場合、時間の経過と共におむつの中に排泄物が広がります。排泄物が広がる事によって、介助者は取替え作業に掛かる時間が長くなり、使用者には、辛い時間が長くなる事によって不快を与えます。両者にとって、不快なおむつ交換に要する時間を出来るだけ短縮するために、排泄物が広がりにくいおむつを提供します。【解決手段】  排泄直後の排泄物が出来る限り広がることを抑制するために、排泄箇所に留まる事が出来るような空間を有するように形成します。【選択図】図２
2015058163.tif 000002
【特許請求の範囲】
【請求項１】
おむつ内に排泄物が広がることを押し止める方法として、肌に直接触れる面において、排泄がなされる部位を囲むように、堤防になるようなギャザーや、さまざまな形状の繊維などを取り付けることによって、排泄物がおむつ内に広がることを押し留める機能を設けた、使い捨ての紙おむつ。
【請求項２】
ギャザーやさまざまな形状を持つ繊維状の物を、請求項１の外側に敷き詰めるように施すことによって、排泄のなされる部位に窪みと空間を有し、よりいっそう排泄物の広がりを遅らせる事の出来る、使い捨ての紙おむつ。
【発明の詳細な説明】
【技術分野】
【０００１】
身体を横たえた状態などでの排泄後、時間の経過や身体を動かすことにより、排泄物が背中や腹部に広がる事を抑制させ、より快適におむつを使用してもらうことを目的とする、使い捨てのおむつです。
【背景技術】
【０００２】
現在入手可能な使い捨てのおむつは、おむつ内から排泄物が漏れ出さない工夫がされており、吸収力と尿戻りに支点が置かれています。
【先行技術文献】
【特許文献】
【０００３】
【特許文献１】特開２００７―２９６１０号公報
【特許文献２】特開２００４―２９１７９７号公報
【発明の概要】
【発明が解決しようとする課題】
【０００４】
寝たきりの方や、トイレでの排泄が困難な方にとっては、排泄後におむつの取替えが行われるまでの間は、動く事で排泄物がおむつ中に広がることのないように、身体を動かさないようにする事が苦痛になっています。本発明は、おむつ内への排泄物の広がりを遅らせるおむつを提供する事を目的とします。
【０００５】
特許文献１，特許文献２には、排泄物が足回りやウエスト部分から漏れ出す事は考慮されていますが、排泄物がおむつ内に広がらないような工夫はされていません。
【０００６】
現在入手可能な使い捨ておむつは、肌が尿によって濡れる事を抑止できるように、尿が戻る事のない工夫はされていますが、お尻の冷えは考えられていません。
【課題を解決するための手段】
【０００７】
排尿部分や、排便直後の排泄物がためられる部分を囲むように、ギャザーやモコモコ繊維、らせん状の繊維などを施し、便の広がりを阻止できるようにします。
【０００８】
請求項２では、ギャザーやモコモコ繊維、らせん状の繊維などを、排泄物がためられる部分を除き全体に敷き詰めることによって、窪みや空間を作ります。
【発明の効果】
【０００９】
せき止め効果が期待できるため、排泄初期の排泄物の居場所が確保されます。脚まわりなどの漏れを考慮されて作られているパンツ形式のおむつにも、請求項１、請求項２を付加することで、使用者の安心感がより大きくなります。
【００１０】
せき止めるためのキャザーなどを何重か並べる事で、おむつ内への広がりを、より遅らせる事が出来ます。おしっこの勢いが強い場合にも、瞬時に吸収されると理解していても不安がありますが、不安の軽減が期待出来ます。
【００１１】
ギャザーなどを敷き詰める事によりクッション性が向上し、肌触りも良くなり、おむつかぶれの要因が少なくなります。
【００１２】
排尿後長時間取替えが行われない場合、尿によっておむつ内が冷やされますが、おむつ内の低温状態が肌に伝わりにくくなりますので、お尻や腹部の冷えを軽減することが出来ます。
【図面の簡単な説明】
【００１３】
【図１】長方形型おむつに請求項1が施される部分を表した正面図
【図２】長方形型おむつに請求項２が施されたおむつの正面図
【図３】パンツ型おむつに請求項１の設置部分を現した正面図
【図４】パンツ型おむつの全体に請求項２を施した正面図
【図５】全てを加味したギャザーの斜視図
【図６】ギャザーを並べて配置した側面図
【図７】モコモコ状の繊維
【発明を実施するための形態】
【００１４】
排泄がなされる部位（８）を囲むように、形状記憶させた立体ギャザーやいろいろな形状の繊維を施します。前部と後部、排泄場所を区切って取り付ける方法も考えられます。
【００１５】
ギャザーの先端部分は、中心に向かって斜めに傾けられる事によって（３）排泄物をせき止め、出来る限り外へ広がらないように、おむつの内側に設置します。
【００１６】
ギャザーの裏面に、戻りを抑制するための弁の役目を果たす加工（図５−５参照）を加える事が出来れば、より効果が期待できます。
【００１７】
請求項１（図１−１参照）より外側に向かって二重三重と、複数のギャザーが施される場合には、中心部に向かって斜めに傾けられたギャザー（３）に加え、反対側にも、数ミリの立ち上がりを持たせたギャザー（図５−４参照）を取り付けることが望まれ、その立ち上がり部分は外側に向かって斜めに取り付けられることによって、設置面（７）との間に、あふれ出た排泄物を保留する場所（６）を確保することができます。
【００１８】
ギャザーなどを、請求項１（１）から外側に向かって幾重にも並べる事によって、せき止め効果を増大させることが出来ます。又、周囲のギャザーなどによって、排泄のなされる部分に窪みや空間が作り出されます。
【００１９】
ギャザーの高さに変化を付けることで、より、排泄物の広がりを阻止する効果が期待出来ます。尿に対しては吸収剤を付加する方法も考えられ、使用者に対して安心効果が大きくなります。男性用には、筒状に形成されたものを取り付けることも考えられます。
【００２０】
排泄がなされる部位をくりぬき（図２参照）、雲のようにふわふわモコモコとした塊や、シート状に加工された物を用いることも考えられます。モコモコ状の繊維など（９）をドーナツ状に幾重にも張り巡らせる方法では、一山ごとに排泄物が留まる空間を確保できます。
【００２１】
ふわふわモコモコの繊維によって肌触りが向上し、排尿によるおむつ内の温度の低下も、より伝わりにくくなります。
【００２２】
ギャザーや、モコモコ状の繊維などを用いる場合、請求項１（１）の内側に、らせん状の繊維などを何重か施す事で、らせん状の繊維の中に排泄物が入り込み、広がりを遅らせる効果が期待できます。
【００２３】
モコモコ状の繊維やギャザーを組み合わす方法、背中側など、範囲を限定して敷き詰める方法も考えられます。
【００２４】
これらを、紙おむつなどの表面に付加する事によって、より着け心地の良いおむつが提供されます。
【００２５】
又、吸収体が付加されていない表面に、請求項１、請求項２の加工を施したシートを、布おむつの使用時に組み合わせることが出来るように、裏面に両面テープなどを取り付けて使用することも考えられます。
【実施例１】
【００２６】
ギャザーが中心に向かって傾けられている事を確認して、装着します。
【産業上の利用可能性】
【００２７】
女性用の生理ナプキンや尿漏れシートに応用する事によって、ナプキン内に吸い取られる血液や尿以外の、粘体物や大量出血時などにせき止め効果が期待出来、使用者に、より安心感を与える事が出来ます。
【符号の説明】
【００２８】
１  請求項１が施される部位
２  請求項２が施された部分
３  中心に向かって取り付けられるギャザー部分
４  外側に傾けられて取り付けられる部分
５  取り入れた排泄物を戻りにくくするための弁
６  便の保留場所
７  おむつ本体との接地部分
８  排泄がなされる部分
９  モコモコ状の繊維
【図１】
2015058163.tif 000003
【図２】
2015058163.tif 000004
【図３】
2015058163.tif 000005
【図４】
2015058163.tif 000006
【図５】
2015058163.tif 000007
【図６】
2015058163.tif 000008
【図７】
2015058163.tif 000009